(57)【要約】【課題】指への装着状態が動くことなく安定し、使い勝手に優れるとともにコンパクトな使用感を得ることができるネイルカバーを提供する。【解決手段】指先に装着する際に指先の側方へ開閉可能に構成され、その内部に爪を含む指先が入り得る空間が形成されるカバー部材１Ａ、１Ｂと、カバー部材１Ａ、１Ｂを閉じる方向に付勢するばね２２と、カバー部材１Ａ、１Ｂを開かせるための左右のつまみ部３と、を備え、左右のつまみ部３を指先の爪側に配した状態で、該つまみ部３によりカバー部材１Ａ、１Ｂを開閉操作することで指先に着脱可能に装着され、その装着状態で、爪に塗着させたマニキュアの除去液を含浸させた綿状体Ｃを爪に接触させて保持する構成とする。【選択図】図４
2019188103.tif 000002
【特許請求の範囲】
【請求項１】
所定の除去液を含浸させた除去液含浸部材を爪上に保持させるネイルカバーであって、
指先に装着する際に指先の側方へ開閉可能に構成され、その内部に爪を含む指先が入り得る空間が形成されるカバー部材と、
前記カバー部材を閉じる方向に付勢する付勢手段と、
前記カバー部材を開かせるためのつまみ部と、を備え、
前記つまみ部を指先の爪側に配した状態で、該つまみ部により前記カバー部材を開閉操作することで指先に着脱可能に装着され、その装着状態で、前記除去液含浸部材を爪に接触させて保持することを特徴とするネイルカバー。
【請求項２】
前記カバー部材は、略筒状に組み合わせられ、対向する周方向端部のうちの一方側に設けられたヒンジを介して開放可能に支持される左右一対の部材で構成されることを特徴とする請求項１に記載のネイルカバー。
【請求項３】
前記付勢手段は、弾性変形することで前記カバー部材を構成する左右一対の部材を開閉可能に支持する構成であり、
前記ヒンジは、該付勢手段で構成されることを特徴とする請求項２に記載のネイルカバー。
【請求項４】
指先に装着された状態で、開閉動作により離接する前記カバー部材の他方の側の周方向端部は、該周方向端部間で指腹が露出可能となるように離間するよう設定されることを特徴とする請求項２または３に記載のネイルカバー。
【請求項５】
前記カバー部材は、内面が略円筒状および略角筒状のうちのいずれか一方の形状であり、外面が略円筒状および略角筒状のうちのいずれか一方の形状であることを特徴とする請求項１〜４のいずれかに記載のネイルカバー。
【請求項６】
前記カバー部材は、弾性体によって略筒状に形成され、指先に装着した状態において指腹側に全長にわたる切欠きが形成され、
前記付勢手段は、前記カバー部材自身の弾性によるものであり、弾性変形により前記カバー部材が開閉可能であることを特徴とする請求項１に記載のネイルカバー。
【請求項７】
指先に装着された状態で、前記カバー部材における前記切欠きを挟んだ両側の端縁の間で指腹が露出可能となるように離間するよう設定されることを特徴とする請求項６に記載のネイルカバー。
【請求項８】
前記カバー部材の内面に凹部または凸部が形成されていることを特徴とする請求項１〜７のいずれかに記載のネイルカバー。
【請求項９】
前記凹部は、前記カバー部材の周方向および周方向に交差する方向のうちの少なくともいずれか一方の方向に延びる複数の溝であり、
前記凸部は、前記カバー部材の周方向および周方向に交差する方向のうちの少なくともいずれか一方の方向に延びる複数の凸条であることを特徴とする請求項８に記載のネイルカバー。
【発明の詳細な説明】
【技術分野】
【０００１】
本発明は、指先に装着されるネイルカバーに関する。
【背景技術】
【０００２】
爪に塗着させたマニキュアを除去する際に、除去液を含浸させた綿状体を爪上に保持するネイルカバーが知られている。ネイルカバーで綿状体を保持することで、除去液をマニキュアに浸透させ、この後、綿状体でマニキュアを払拭することにより、マニキュアをクリアに除去することができるものである。この種のネイルカバーとしては、例えば事務用品の指サックのようなゴム製の指先を覆う形態のものが簡素なものとして挙げられる。また、用途として爪に塗着させたマニキュアが乾燥するまで保護するカバーといったものも種々提供されている。例えば、円筒を縦割りに二分割した形態で、一方を指の腹側のカバー部、他方を爪側のカバー部とし、これらカバー部を指先側に設けたヒンジで開閉可能に連結した構成のものが知られている（特許文献１）。
【先行技術文献】
【特許文献】
【０００３】
【特許文献１】特開２００５−３０５０１９号公報
【発明の概要】
【発明が解決しようとする課題】
【０００４】
上記指サック形式のカバーは、指に隙間なくフィットするため使用中でも指先が使えるものであるが、抜け止め手段がないため、強い摩擦を受けると指から抜ける方向に動き、それに追従して綿状体も動いてしまうおそれがある。また、上記特許文献１に開示されているカバーは、ヒンジとは反対側の端部どうしを結合して装着する構成であるが、確実に抜け止めが達成される構成とは言えず、カバーとともに綿状体が動いてしまう可能性がある。さらに、ヒンジが指先にあってカバーを縦方向に開閉させるため、開閉に要するスペースが比較的大きく、このため、使い勝手に劣るとともにコンパクトな使用感を得にくいというものであった。
【０００５】
本発明は上記事情に鑑みてなされたものであり、指への装着状態が動くことなく安定し、使い勝手に優れるとともにコンパクトな使用感を得ることができるネイルカバーを提供することを目的としている。
【課題を解決するための手段】
【０００６】
本発明のネイルカバーは、所定の除去液を含浸させた除去液含浸部材を爪上に保持させるネイルカバーであって、指先に装着する際に指先の側方へ開閉可能に構成され、その内部に爪を含む指先が入り得る空間が形成されるカバー部材と、前記カバー部材を閉じる方向に付勢する付勢手段と、前記カバー部材を開かせるためのつまみ部と、を備え、前記つまみ部を指先の爪側に配した状態で、該つまみ部により前記カバー部材を開閉操作することで指先に着脱可能に装着され、その装着状態で、前記除去液含浸部材を爪に接触させて保持することを特徴とする。
【０００７】
本発明のネイルカバーは、つまみ部を操作して開かせたカバー部材を指先に上側（爪側）から被せ、次いで開いた状態を解除すると、付勢部材によりカバー部材が閉じる方向に動いて指先を弾性的に把持し、これにより指先に装着される。また、つまみ部を操作してカバー部材を開き、上方（爪の表面から離れる方向）に離すことにより、指先から外すことができる。爪に塗着させたマニキュアを除去する際には、除去液を含浸させた綿状体を爪に被せ、上記のようにして本ネイルカバーを指先に装着することで綿状体を挟んで保持する。これにより綿状体はマニキュアに押し付けられた状態で爪上に保持され、その間、除去液をマニキュアに浸透させることができる。
【０００８】
本発明のネイルカバーによれば、付勢部材により装着状態が保持されるため、本ネイルカバーが物に接触したり摩擦を受けたりしても指先から抜けたり外れたりすることが起こりにくい。このため、指先への装着状態が安定し、上記のように綿状体を挟んだ場合、綿状体が移動することが抑えられる。また、指先に装着する際に指先の側方へ開閉可能に構成されるため、カバー部材の開閉のためのスペースは上記のように縦方向に開閉する従来のものに比べ小さい。また、つまみ部を操作することで手軽にカバー部材の開閉を行うことができる。これらにより、使い勝手に優れるとともにコンパクトな使用感を得ることができる。さらに、つまみ部が指の側面側ではなく爪側に配されて装着されることにより、つまみ部が隣の指に干渉せず、違和感が生じにくい。
【０００９】
本発明のネイルカバーは、前記カバー部材が、略筒状に組み合わせられ、対向する周方向端部のうちの一方側に設けられたヒンジを介して開放可能に支持される左右一対の部材で構成されることを特徴とする。本発明のネイルカバーによれば、略筒状のカバー部材の周方向一端部どうしをヒンジで結合して開閉する構造であるため、カバー部材の開閉のためのスペースは上記のように縦方向に開閉する従来のものに比べ小さいものとすることができる。
【００１０】
また、本発明のネイルカバーは、前記付勢手段は、弾性変形することで前記カバー部材を構成する左右一対の部材を開閉可能に支持する構成であり、前記ヒンジは、該付勢手段で構成されることを特徴とする。本発明のネイルカバーは、ヒンジが付勢手段の機能も果たすため、ヒンジと付勢手段と設けるものに比べてよりコンパクトな構造を実現することができる。
【００１１】
本発明のネイルカバーは、指先に装着された状態で、開閉動作により離接する前記カバー部材の端縁の間で指腹が露出可能となる形態を含む。この形態によれば、本ネイルカバーを装着したまま、露出する指腹で、タブレット端末やスマートフォン等の電子端末機器のタッチパネルを操作することができる。
【００１２】
本発明のネイルカバーは、前記カバー部材が、内面が略円筒状および略角筒状のうちのいずれか一方の形状であり、外面が略円筒状および略角筒状のうちのいずれか一方の形状であることを特徴とする。この構成によれば、一対のガイド部材が種々の形状で組み合わせられた多様な構造でかつコンパクトなネイルカバーを提供することが可能になる。
【００１３】
本発明のネイルカバーは、前記カバー部材が、弾性体によって略筒状に形成され、指先に装着した状態において指腹側に全長にわたる切欠きが形成され、前記付勢手段は、前記カバー部材自身の弾性によるものであり、弾性変形により前記カバー部材が開閉可能である形態を含む。この形態によれば、カバー部材を閉じる方向に付勢する部材が不要となり、付勢手段を別体で設けるものに比べてよりコンパクトかつ軽量な構造が実現できる。
【００１４】
このネイルカバーにおいて、指先に装着された状態で、前記カバー部材における前記切欠きを挟んだ両側の端縁の間で指腹が露出可能となる形態としてもよい。この形態によれば、本ネイルカバーを装着したまま、露出する指腹で、タブレット端末やスマートフォン等の電子端末機器のタッチパネルを操作することができる。
【００１５】
また、本発明のネイルカバーは、前記カバー部材の内面に凹部または凸部が形成されている形態を含む。この形態によれば、凹部または凸部が上記綿状体に係合して滑り止めとなり、綿状体をより確実に保持することができる。この場合の凹部または凸部の形態としては、多数の点状の凹凸を形成したものも挙げられる。また、前記凹部としては、前記カバー部材の周方向および周方向に交差する方向のうちの少なくともいずれか一方の方向に延びる複数の溝が挙げられる。また、前記凸部としては、前記カバー部材の周方向および周方向に交差する方向のうちの少なくともいずれか一方の方向に延びる複数の凸条が挙げられる。
【発明の効果】
【００１６】
本発明によれば、指への装着状態が動くことなく安定し、使い勝手に優れるとともにコンパクトな使用感を得ることができるネイルカバーが提供されるといった効果を奏する。
【図面の簡単な説明】
【００１７】
【図１】本発明の第１の実施形態に係るネイルカバーの斜視図であって、（Ａ）：閉じた状態、（Ｂ）：開いた状態を示す。
【図２】第１の実施形態に係るネイルカバーが閉じた状態の（Ａ）：平面図、（Ｂ）：（Ａ）のＢ−Ｂ断面図である。
【図３】第１の実施形態に係るネイルカバーが開いた状態の（Ａ）：内面図、（Ｂ）：外面図である。
【図４】第１の実施形態に係るネイルカバーの使用状態の斜視図である。
【図５】第１の実施形態に係るネイルカバーの使用状態を指先側から見た場合の正面図である。
【図６】第１の実施形態に係るネイルカバーの使用状態を下側から見た場合の斜視図である。
【図７】本発明の第２の実施形態に係るネイルカバーの斜視図であって、（Ａ）：閉じた状態、（Ｂ）：開いた状態を示す。
【図８】第２の実施形態に係るネイルカバーの使用状態の斜視図である。
【図９】本発明の第３の実施形態に係るネイルカバーの斜視図であって、（Ａ）：閉じた状態、（Ｂ）：開いた状態を示す。
【図１０】第３の実施形態に係るネイルカバーの使用状態の斜視図である。
【図１１】本発明の第４の実施形態に係るネイルカバーの斜視図であって、（Ａ）：閉じた状態、（Ｂ）：開いた状態を示す。
【図１２】第４の実施形態に係るネイルカバーの使用状態の斜視図である。
【発明を実施するための形態】
【００１８】
以下、図面を参照して本発明の一実施形態を説明する。
（第１の実施形態）
［１］構成
図１〜図３は本発明の第１の実施形態に係るネイルカバー１００を示しており、図４〜図６はネイルカバーを使用している状態を示している。ネイルカバー１００は、概ね左右対称の形状とされた一対の半円筒状のカバー部材１Ａ、１Ｂがヒンジ２を介して開閉可能に支持されたクリップ状のもので、一対のつまみ部３を指で操作することにより左右方向（図１（Ｂ）：矢印Ｌ−Ｒ方向）に開閉させることができるようになっている。図１（Ａ）、（Ｂ）は、それぞれネイルカバー１００が閉じた状態、開いた状態を示している。ネイルカバー１００は、ヒンジ２が備えるばね（付勢部材）２２の作用で通常は略円筒状に閉じるように組み合わされる。
【００１９】
図１（Ａ）の矢印Ｆ−Ｂはネイルカバー１００内の中心を通る線と平行な方向を示し、指先に装着された状態においてＦが前方（指先方向）、Ｂが後方を指している。以下で言う前後方向は当該矢印方向に基づく。また、以下で言う上下方向は、爪を上に向けてネイルカバー１００を装着した状態における上下方向を言う（図４参照）。
【００２０】
閉じた状態で対向するカバー部材１Ａ、１Ｂの周方向端部のうちの上側の端部付近の外周面には、つまみ部３が形成されている。また、これらつまみ部３の対向面には、ヒンジ片２１ａ、２１ｂがそれぞれ形成されている（ここでは、カバー部材１Ａ側をヒンジ片２１ａ、カバー部材１Ｂ側をヒンジ片２１ｂとする）。双方のつまみ部３およびヒンジ片２１ａ、２１ｂは、相手側のカバー部材１Ａ（１Ｂ）と一対の状態で前後方向の中央部に形成されている。
【００２１】
図３（Ａ）、（Ｂ）は、開いたネイルカバー１００の内周面側、外周面側をそれぞれ示しており、同図に示すようにカバー部材１Ａ、１Ｂは前方（図３で上方）に向かうにしたがい先細りとなるテーパ状に形成されている。この場合、テーパの度合が前後で変化しており、つまみ部３より後方が比較的緩いテーパの主体部１５となっており、つまみ部３より前方の先端部１６が後方よりもテーパの度合が比較的強くなっている。
【００２２】
また、カバー部材１Ａ、１Ｂは、図２（Ｂ）に示すように、指先に違和感なくフィットするように、つまみ部３側である上側の湾曲度合が緩やかで平坦に近く、指先の側面に接触する下側は上側よりも湾曲度合が若干強く形成されている。
【００２３】
つまみ部３とヒンジ片２１ａ、２１ｂが形成された上側の周方向端部の縁１１は、カバー部材１Ａ、１Ｂが閉じると互いに当接する。換言すると、その縁１１どうしがストッパとなってそれ以上は閉じないようになっている。その閉状態では、図２（Ｂ）に示すように他方側（下側）の周方向端部の縁１２は当接せず間が空くようになっており、縁１２は開閉動作により離れたり接近したりする。
【００２４】
つまみ部３は面方向が前後方向に沿った側面視矩形板状で、上記縁１１からやや離れた位置の外周面から羽根状に立ち上がっている。各つまみ部３は、根元から高さの半分程度までは互いに平行で、途中から互いに離れて広がる形状となっている。また、つまみ部３は、図５に示すように、隣り合う指にネイルカバー１００を装着した場合において隣の指やネイルカバー１００に干渉せず、隣り合うカバー部材１Ａ、１Ｂが接触することを妨げない形状および寸法となっている。
【００２５】
ヒンジ片２１ａ、２１ｂは、１つのカバー部材１Ａ（１Ｂ）につき前後方向に間隔をあけて一対ずつ形成されている。ヒンジ片２１ａ、２１ｂは、面方向が左右方向に沿った板状片であり、中心付近に軸孔（図示略）が形成されている。ヒンジ片２１ａ、２１ｂは、相手側のカバー部材１Ａ（１Ｂ）に向かって縁１１から突出している。この場合、図２に示すように、一方（図２で左側）のカバー部材１Ａのヒンジ片２１ａの前後の間隔は、他方（図２で右側）のカバー部材１Ｂのヒンジ片２１ｂの前後の間隔より広く、前後にオフセットされている。そして、左側の前後のヒンジ片２１ａの間に右側のヒンジ片２１ｂが互いに摺動可能に挿入されている。
【００２６】
左右のヒンジ片２１ａ、２１ｂの軸孔にはピン２３が貫通され、ピン２３を軸にカバー部材１Ａ、１Ｂが回動可能となっている。ピン２３およびヒンジ片２１ａ、２１ｂによってヒンジ２が構成されている。そして、ばね２２によりカバー部材１Ａ、１Ｂは閉じる方向に付勢されている。ばね２２は、コイル部２２１と２つの腕部２２２を有する一般的なねじりコイルばねであって、ヒンジ片２１ｂの間に配されたコイル部２２１にピン２３が挿通されることで支持され、腕部２２２が左右のつまみ部３の内側の面に弾性的に当接している。
【００２７】
図３（Ａ）に示すように、カバー部材１Ａ、１Ｂの内面上部であって先端部１６および先端部１６から主体部１５にわたる部分には、左右方向に延びる複数の凸条（凸部）１３が等間隔をおいて形成されている。凸条１３は、縁１１の近傍の一端部がその縁１１に沿って揃っている。そして、カバー部材１Ａ、１Ｂのテーパ形状に追従するように、前から後に向かうにしたがって長さがしだいに長くなっている。
【００２８】
以上が第１の実施形態のネイルカバー１００の構成である。カバー部材１Ａ、１Ｂの材質は任意であるが、例えば樹脂を射出成形したものが挙げられ、また、その樹脂が半透明のものも用いられる。
【００２９】
［２］使用方法
上記ネイルカバー１００は、爪に塗着させたマニキュアを除去する際に、次のようにして使用される。
【００３０】
図４は指先にネイルカバー１００を装着した使用状態を示しており、同図で符号Ｃは、爪に塗着させたマニキュアの除去液を含浸させたコットン等の綿状体である。ネイルカバー１００を使用するにあたっては、図４に示すように予めその綿状体Ｃをマニキュアに被せておく。
【００３１】
ネイルカバー１００を使用するには、まず、左右のつまみ部３を両側から指で挟んで近付けるようにつまむことで、図１（Ｂ）に示すようにカバー部材を左右に開く。そして、先端部１６を指先方向に向けて綿状体Ｃの上から指先にカバー部材１Ａ、１Ｂを被せ、つまみ部３を離す。カバー部材１Ａ、１Ｂはばね２２によって閉じる方向に動き、指先を弾性的に把持する。以上でネイルカバー１００は指先に装着される。綿状体Ｃはマニキュアに押し付けられて爪上に保持され、除去液がマニキュアに浸透していく。
【００３２】
除去液がマニキュアに十分浸透する時間が経過したら、つまみ部３を指で挟んでカバー部材１Ａ、１Ｂを開き、次いで上方に移動させてネイルカバー１００を指先から外す。この後、綿状体Ｃでマニキュアを払拭して爪からマニキュアを除去する。
【００３３】
［３］作用効果
上記ネイルカバー１００によれば、ばね２２により装着状態が保持されるため、ネイルカバー１００が物に接触したり摩擦を受けたりしても指先から抜けたり外れたりすることが起こりにくい。このため、指先への装着状態が安定し、綿状体Ｃが移動することが抑えられる。
【００３４】
また、半円筒状のカバー部材１Ａ、１Ｂの上側の端部どうしをヒンジ２で結合して開閉する構造であるため、省スペースでネイルカバー１００を開閉させることができる。また、つまみ部３を操作することで手軽に開閉を行うことができる。これらにより、使い勝手に優れるとともにコンパクトな使用感を得ることができる。
【００３５】
また、ネイルカバー１００は、つまみ部３を指の側面側ではなく上側（爪側）に配して装着される。これに加え、図５に示したように、隣り合う指にネイルカバー１００を装着した場合において、つまみ部３は、隣の指やネイルカバー１００に干渉せず、隣り合うカバー部材１Ａ、１Ｂが接触することを妨げない形状および寸法となっている。このため、つまみ部３が隣の指に干渉せず、違和感が生じにくい。
【００３６】
また、ネイルカバー１００が閉じた通常状態では上記のように下側の縁１２は当接せず、間が空くようになっている。このため指先に装着した状態では、図５および図６に示すように左右の縁１２の間は大きく空き、指腹が露出する。このため、ネイルカバー１００を装着したまま、露出する指腹で、タブレット端末やスマートフォン等の電子端末機器のタッチパネルを操作することができる。
【００３７】
また、カバー部材１Ａ、１Ｂの内面に形成された複数の凸条１３は、綿状体Ｃに係合して滑り止めとなり、このため、綿状体Ｃをより確実に保持することができる。
【００３８】
また、ネイルカバー１００は全体的に先細りのテーパ状に形成されているため、指先の太さに応じて装着位置を前後方向に変えることにより、常に適切な弾性力を受けた状態で指先に装着することができる。すなわち、比較的細い指先の場合には後側に装着し、比較的太い指先の場合には前側に装着するという使用方法が採られる。
【００３９】
（第２の実施形態）
次に、本発明の第２の実施形態に係るネイルカバー１００Ａについて図７及び図８を参照して説明する。図７及び図８において、第１の実施形態に係るネイルカバー１００と同様の構成要素には同一の符号を付している。
【００４０】
［１］構成
図７及び図８に示すように、ネイルカバー１００Ａは、一対のカバー部材１Ｃ、１Ｄと、カバー部材１Ｃ、１Ｄを閉じる方向に付勢する付勢部材５と、カバー部材１Ｃ、１Ｄを開かせるためのつまみ部３と、を有している。
【００４１】
ネイルカバー１００Ａは、カバー部材１Ｃ、１Ｄが、略筒状に組み合わせられ、対向する周方向端部のうちの一方側に設けられたヒンジを介して開放可能に支持される左右一対の部材で構成されることは第１の実施形態に係るネイルカバー１００と同様である。但し、ネイルカバー１００Ａにおいては、ヒンジは付勢手段（付勢部材５）により構成されている。
【００４２】
具体的に、一対のカバー部材１Ｃ、１Ｄは、概ね左右対称なそれぞれ略角筒状の形状であって、互いに組み合わせた際に対向するそれぞれの内面が略半円筒形状に削られた形状をしている。つまり、ネイルカバー１００Ａは、一対のカバー部材１Ｃ、１Ｄが、内面が略円筒形状であり、外面が略角筒状の形状のものである。一対のカバー部材１Ｃ、１Ｄは、この例に限らず、内面が略円筒状および略角筒状のうちのいずれか一方の形状であり、外面が略円筒状および略角筒状のうちのいずれか一方の形状のものとすることができる。
【００４３】
つまみ部３は、一対のカバー部材１Ｃ、１Ｄのいずれか一方の上面に設けられ、該上面から鉛直方向に延びて立設され、徐々に外方に向かって開く形態の舌片状の部材により構成されている。つまみ部３の形状は、これに限らず、様々な形状とし得るものである。
【００４４】
付勢部材５は、ネイルカバー１００Ａを指先に装着した際に、指の延びる方向と略平行な中心軸を有する筒状（チューブ状）の弾性体部材により構成される。付勢部材５は、周方向へ弾性変形可能なものであり、当該弾性変形を行い易くするため、上記中心軸に沿って外周全体にわたるスリット５ａが形成されている。付勢部材５は、その外周上の互いに反対側の２箇所、つまり上記中心軸を挟む対向する２カ所で一対のつまみ部３の何れか一方の側面に固着されている。これにより、付勢部材５は、一対のつまみ部３がそれぞれの上面に固着された一対のカバー部材１Ｃ、１Ｄを、指の延びる方向と直交する方向（指の側方）に開閉可能に支持するようになっている。
【００４５】
付勢部材５は、上述した周方向へ弾性変形可能な構造により、例えば、図７（Ａ）に示す通常状態では、スリット５ａが最大に開くように弾性変形することで一対のカバー部材１Ｃ、１Ｄが上方側では縁１１の間が互いに近接し、下側では縁１２の間が開いた状態となるようにカバー部材１Ｃ、１Ｄを支持している。また、付勢部材５は、左右のつまみ部３を互いに近づく方向につまむ操作を行った際には、図７（Ｂ）に示すように、スリット５ａが閉じるように弾性変改することで一対のカバー部材１Ｃ、１Ｄが上方側では互いに近接しつつ、下方側において両者が指先を挿入可能な幅に達するまで開いた状態となるようにカバー部材１Ｃ、１Ｄを支持可能である。
【００４６】
上述したカバー部材１Ｃ、１Ｄの開閉に際し、付勢部材５は、例えば、左右のつまみ部３を互いに近づく方向につまむ操作に合わせて周方向に弾性変形して一対のカバー部材１Ｃ、１Ｄの図７（Ｂ）に示す状態での開放を可能にする。一方で、付勢部材５は、図７（Ｂ）に示すカバー部材１Ｃ、１Ｄが開放されている状態でつまみ部３から指を離すことで、上述した弾性変形の状態から戻ろうとする弾性力によって周方向に変形し、カバー部材１Ｃ、１Ｄの図７（Ａ）に示すカバー部材１Ｃ、１Ｄが閉じられた通常状態への復帰を可能とする。
【００４７】
このように、付勢部材５は、一対のカバー部材１Ｃ、１Ｄを閉じる方向に付勢可能なものであり、本発明における付勢手段（弾性部材）およびヒンジを構成する。ヒンジの機能を兼ねる当該付勢手段としては、外周上の互いに反対側の２箇所でカバー部材１Ｃ、１Ｄのいずれか一方に固定され、弾性変形によって当該カバー部材１Ｃ、１Ｄを開閉可能に支持する構造を有するものであればよく、例えば、第１の実施形態に係るばね２２（図２参照）や板ばね等、各種のばね部材を用いることもできる。要するに、本実施形態において、ヒンジ構造は、ばねであってもプラスチック製の弾性体であってもよい。
【００４８】
ネイルカバー１００Ａにおいて、一対のカバー部材１Ｃ、１Ｄの両者が閉じたとき（図７（Ａ）参照）に形成される略円筒状の空間は、爪を含む指先が入り得る空間であるが、その周方向のサイズが指先の周方向サイズより小さいサイズとなっている。すなわち、ネイルカバー１００Ａにおいては、第１の実施形態に係るネイルカバー１００と同様、指先に装着された状態（図８参照）でつまみ部３の開閉動作により離接するカバー部材１Ｃ、１Ｄの縁１２の間で指腹が露出可能となるように離間するよう設定されている。
【００４９】
また、ネイルカバー１００Ａは、一対のカバー部材１Ｃ、１Ｄの内面に凹部または凸部が形成されている。これら凹部または凸部の形態としては、第１の実施形態に係るネイルカバー１００と同様の複数の凸条（凸部）１３を設ける構成であってもよい。カバー部材１Ｃ、１Ｄの材質も、第１の実施形態とのものと同様、例えば樹脂を射出成形したものや、その樹脂が半透明のものを用いることができる。
【００５０】
［２］使用方法
本実施形態に係るネイルカバー１００Ａは、通常状態では、下側の縁１２の間が空くようにカバー部材１Ｃ、１Ｄが閉じた状態（図７（Ａ）参照）であり、この状態から左右のつまみ部３を両側から指で挟んで近付けるようにつまむことで、カバー部材１Ｃ、１Ｄを左右に開くことができる（図７（Ｂ）参照）。
【００５１】
ネイルカバー１００Ａを使用するにあたっては、マニキュアの除去液を含侵させた綿状体Ｃを、爪に塗着させたマニキュアに予め被せておく。そのうえで、左右のつまみ部３を両側からつまんで図７（Ｂ）に示すようにカバー部材１Ｃ、１Ｄを左右に開き、この状態で、図８に示すように先端部１６を指先方向に向けて綿状体Ｃの上から指先にカバー部材１Ｃ、１Ｄを被せ、つまみ部３を離す。これにより、カバー部材１Ｃ、１Ｄは弾性部材の周方向の弾性変形によって閉じる方向に動き、図８に示すように指先を弾性的に把持する。以上でネイルカバー１００Ａは指先に装着される。綿状体Ｃはマニキュアに押し付けられて爪上に保持され、除去液がマニキュアに浸透していく。
【００５２】
除去液がマニキュアに十分浸透する時間が経過したら、つまみ部３を指で挟んでカバー部材１Ｃ、１Ｄを開き、次いで上方に移動させてネイルカバー１００Ａを指先から外す。この後、綿状体Ｃでマニキュアを払拭して爪からマニキュアを除去する。
【００５３】
［３］作用効果
本実施形態に係るネイルカバー１００Ａは、内部に爪を含む指先が入り得る空間が形成される一対のカバー部材１Ｃ、１Ｄを有する点、カバー部材１Ｃ、１Ｄの上方に設けられ、該カバー部材１Ｃ、１Ｄを閉じる方向に付勢する付勢手段を有する点、指先に装着された状態でカバー部材の縁１２の間で指腹が露出可能になる点、カバー部材の内面に凹部または凸部が形成されている点については第１の実施形態に係るネイルカバー１００と同様の構成であり、これらの構成により、ネイルカバー１００と同等の作用効果を奏することができる。
【００５４】
加えて、本実施形態に係るネイルカバー１００Ａは、カバー部材１Ｃ、１Ｄを指先の側方に開放可能に支持するヒンジが、当該カバー部材１Ｃ、１Ｄを閉じる方向に付勢する付勢手段により構成されるため、付勢手段がヒンジ２とは別体で構成される第１の実施形態に係るネイルカバー１００に比べてよりコンパクトな構造とすることができる。
【００５５】
（第３の実施形態）
次に、本発明の第３の実施形態に係るネイルカバー１００Ｂについて図９及び図１０を参照して説明する。図９及び図１０において、ネイルカバー１００Ｂにおける第２の実施形態に係るネイルカバー１００Ｂと同様の構成要素には同一の符号を付している。
【００５６】
［１］構成
図９及び図１０に示すように、ネイルカバー１００Ｂは、一対のカバー部材１Ｅ、１Ｆと、カバー部材１Ｅ、１Ｆを閉じる方向に付勢する付勢部材５と、カバー部材１Ｅ、１Ｆを開かせるためのつまみ部３と、を有している。
【００５７】
ネイルカバー１００Ｂは、第２の実施形態に係るネイルカバー１００Ａとはカバー部材１Ｅ、１Ｆの構成のみが異なり、他の構成は同じものである。カバー部材１Ｅ、１Ｆは、略筒状に組み合わせられ、対向する周方向端部のうちの一方側に設けられたヒンジを介して開放可能に支持される左右一対の部材で構成される。ネイルカバー１００Ｂにおいても、ヒンジは付勢手段（付勢部材５）により構成されている。
【００５８】
具体的に、一対のカバー部材１Ｅ、１Ｆは、指先に装着された状態で指の延びる方向に沿った折り曲げ部１８により所定の角度で内側に折り曲げられた概ね左右対称の折り曲げ板部材で構成される。一対のカバー部材１Ｅ、１Ｆは、その上面に設けられる左右のつまみ部３を介して、折り曲げ部１８の間に爪を含む指先が入り得る空間が形成されるよう組合せられた形態で支持される。すなわち、ネイルカバー１００Ｂは、一対のカバー部材１Ｅ、１Ｆが、内面及び外面の双方が略角筒状の形状を有した構造となっている。
【００５９】
付勢部材５は、第２の実施形態でも述べた通り、周方向へ弾性変形可能な構造により、例えば、図９（Ａ）に示す通常状態では、スリット５ａが最大に開くように弾性変形することで一対のカバー部材１Ｅ、１Ｆが上方側では縁１１が互いに近接し、下側では縁１２の間が開いた状態となるように当該カバー部材１Ｅ、１Ｆを支持している。一方で、付勢部材５は、左右のつまみ部３を互いに近づく方向につまむ操作を行った際には、図９（Ｂ）に示すように、スリット５ａが閉じる方向に弾性変形することで一対のカバー部材１Ｅ、１Ｆが上方側では互いに近接しつつ、下方側において両者が指先を挿入可能な幅に達するまで開いた状態となるようにカバー部材１Ｅ、１Ｆを支持することとなる。
【００６０】
上述したカバー部材１Ｅ、１Ｆの開閉に際し、付勢部材５は、例えば、左右のつまみ部３を互いに近づく方向につまむ操作に合わせて周方向に弾性変形して一対のカバー部材１Ｅ、１Ｆの図９（Ｂ）に示す状態での開放を可能にする。一方で、付勢部材５は、図９（Ｂ）に示すカバー部材１Ｅ、１Ｆが開放されている状態でつまみ部３から指を離すことで、上述した弾性変形の状態から戻ろうとする弾性力によって周方向に変形し、カバー部材１Ｅ、１Ｆの図９（Ａ）に示すカバー部材１Ｅ、１Ｆが閉じられた通常状態への復帰を可能とする。
【００６１】
このように、付勢部材５は、一対のカバー部材１Ｅ、１Ｆを閉じる方向に付勢可能なものであり、本発明における付勢手段（弾性部材）およびヒンジを構成する。ヒンジの機能を兼ねる当該付勢手段としては、外周上の互いに反対側の２箇所でカバー部材１Ｅ、１Ｆのいずれか一方に固定され、弾性変形によって当該カバー部材１Ｅ、１Ｆを開閉可能に支持する構造を有するものであればよく、例えば、第１の実施形態に係るばね２２（図２参照）や板ばね等、各種のばね部材を用いることもできる。要するに、本実施形態においても、ヒンジ構造はばねであってもプラスチック製の弾性体であってもよい。
【００６２】
ネイルカバー１００Ｂにおいては、第２の実施形態に係るネイルカバー１００Ａと同様、指先に装着された状態（図１０参照）でつまみ部３の開閉動作により離接するカバー部材１Ｅ、１Ｆの縁１２の間で指腹が露出可能となるように離間するよう設定されている。また、ネイルカバー１００Ｂは、一対のカバー部材１Ｅ、１Ｆの内面に、例えば、第１及び第２の実施形態と同様の凹部または凸部が形成されている。
【００６３】
［２］使用方法
本実施形態に係るネイルカバー１００Ｂを使用するにあたっては、マニキュアの除去液を含侵させた綿状体Ｃを、爪に塗着させたマニキュアに予め被せておく。そのうえで、図９（Ａ）に示す閉じた状態から左右のつまみ部３を両側からつまんで図９（Ｂ）に示すようにカバー部材１Ｅ、１Ｆを左右に開き、この状態で、図１０に示すように先端部１６を指先方向に向けて綿状体Ｃの上から指先にカバー部材１Ｅ、１Ｆを被せ、つまみ部３を離す。これにより、カバー部材１Ｅ、１Ｆは付勢部材５によって閉じる方向に動き、図１０に示すように指先を弾性的に把持する。以上でネイルカバー１００Ｂは指先に装着される。綿状体Ｃはマニキュアに押し付けられて爪上に保持され、除去液がマニキュアに浸透していく。
【００６４】
除去液がマニキュアに十分浸透する時間が経過したら、つまみ部３を指で挟んでカバー部材１Ｅ、１Ｆを開き、次いで上方に移動させてネイルカバー１００Ｂを指先から外す。この後、綿状体Ｃでマニキュアを払拭して爪からマニキュアを除去する。
【００６５】
［３］作用効果
本実施形態に係るネイルカバー１００Ｂは、内部に爪を含む指先が入り得る空間が形成される一対のカバー部材１Ｃ、１Ｄを有する点、カバー部材１Ｃ、１Ｄの上方に設けられ、該カバー部材１Ｃ、１Ｄを閉じる方向に付勢する付勢手段を有する点、指先に装着された状態でカバー部材の縁１２の間で指腹が露出可能になる点、カバー部材の内面に凹部または凸部が形成されている点については第１の実施形態に係るネイルカバー１００と同様の構成であり、これらの構成により、ネイルカバー１００と同等の作用効果を奏することができる。
【００６６】
本実施形態に係るネイルカバー１００Ｂは、カバー部材１Ｅ、１Ｆを指先の側方に開放可能に支持するヒンジが、当該カバー部材１Ｅ、１Ｆを閉じる方向に付勢する付勢手段により構成されるため、付勢手段がヒンジ２とは別体で構成される第１の実施形態に係るネイルカバー１００に比べてよりコンパクトな構造とすることができる。また、カバー部材１Ｅ、１Ｆは、内面および外面が略角筒状で形成されるため、第２の実施形態に係るネイルカバー１００Ａのように内面が略円筒状で外面が略角筒状のものに比べてより軽量化が可能になる。また、それ以外の作用効果は、第１の実施形態に係るネイルカバー１００と同様である。
【００６７】
（第４の実施形態）
次に、本発明の第４の実施形態に係るネイルカバー１００Ｃについて説明する。本実施形態に係るネイルカバー１００Ｃは、図９及び図１０に示すように、単体のカバー部材１Ｇと、カバー部材１Ｇの両側に取り付けられる左右一対のつまみ部３と、を有している。
【００６８】
［１］構成
カバー部材１Ｇは、弾性体により略筒状に形成され、指先に装着した状態において指腹側に全長にわたる切欠き部１９が形成されている。カバー部材１Ｇは前方（図１１の矢印Ｆで示す方向）に向かうにしたがい先細りとなるテーパ状に形成されている。カバー部材１Ｇは、弾性力によって、切欠き部１９を挟んだ両側の端縁１９ａ、１９ｂ間の距離が規定の距離より大きくなる状態に開くことができるとともに（図１１（Ｂ）参照）、上記距離が既定の距離となるように復帰させることが可能となっている（図１１（Ａ）参照）。
【００６９】
つまみ部３は、カバー部材１Ｇの開閉を行うための操作部として設けられる。つまみ部３は、直線辺３１を有する半円形状の薄板部材で構成される。つまみ部３は、直線辺３１が、カバー部材１Ｇにおける切欠き部１９を挟んだ両側の端縁１９ａ、１９ｂに沿うように当該カバー部材１Ｇの左右両側面に取り付けられている。左右一対のつまみ部３は、両者を近づく方向につまむ操作を行うことによりカバー部材１Ｇを図７（Ｂ）に示す状態に開かせる一方で、両者から指を離すことによりカバー部材１Ｇを図７（Ａ）に示す状態に閉じることを可能としている。
【００７０】
このように、本実施形態に係るネイルカバー１００Ｃは、カバー部材１Ｇの弾性変形により、切欠き部１９を挟んだ両側の端縁１９ａ、１９ｂの間の距離が変化するよう開閉可能な構造を有する。この構造においては、カバー部材１Ｇを閉じる方向に付勢する付勢手段は、カバー部材１Ｇの弾性により実現されることとなる。
【００７１】
ネイルカバー１００Ｃにおいては、指先に装着された状態（図１２参照）でカバー部材１Ｇの切欠き部１９を挟んだ縁１２の間で指腹が露出可能となるように離間するよう設定されている。また、ネイルカバー１００Ｃにおいても、カバー部材１Ｇの内面に、例えば、端縁１９ａ、１９ｂの近接部分に第１及び第２の実施形態と同様の凹部または凸部が形成されている構成としてもよい。
【００７２】
ネイルカバー１００Ｃにおいては、カバー部材１Ｇは、図１１に示すようなテーパの度合いが一定のものに限らず、例えば、先端部１６から後端部１７にかけてテーパの度合が前後で変化したものであってもよい。例えば、カバー部材１Ｇは、つまみ部３より後方が比較的緩いテーパの主体部を構成し、つまみ部３より前方の先端部１６が後方よりもテーパの度合が比較的強くなっているものであってもよい。また、つまみ部３は、図１１に示すようにカバー部材１Ｇの両側面に取り付けるものに限らず、極力、カバー部材１Ｇの鉛直方向上方に外周位置に設けるようにしてもよい。
【００７３】
［２］使用方法
本実施形態に係るネイルカバー１００Ｃを使用するにあたっては、マニキュアの除去液を含侵させた綿状体Ｃを、爪に塗着させたマニキュアに予め被せておく。そのうえで、図１１（Ａ）に示す閉じた状態から左右のつまみ部３を両側からつまんで図１１（Ｂ）に示すようにカバー部材１Ｇを切欠き部１９の端縁１９ａ、１９ｂ間の距離が大きくなるように開かせ、その状態で、図１２に示すように先端部１６を指先方向に向けて綿状体Ｃの上から指先にカバー部材１Ｅ、１Ｆを被せ、つまみ部３を離す。これにより、カバー部材１Ｇは自身の弾性力により端縁１９ａ、１９ｂ間の距離が小さくなる方向に動き、図１２に示すように指先を弾性的に把持する。以上でネイルカバー１００Ｃは指先に装着される。綿状体Ｃはマニキュアに押し付けられて爪上に保持され、除去液がマニキュアに浸透していく。
【００７４】
除去液がマニキュアに十分浸透する時間が経過したら、つまみ部３を指で挟んでカバー部材１Ｇを開き、次いで上方に移動させてネイルカバー１００Ｃを指先から外す。この後、綿状体Ｃでマニキュアを払拭して爪からマニキュアを除去する。
【００７５】
［３］作用効果
本実施形態に係るネイルカバー１００Ｃは、内部に爪を含む指先が入り得る空間が形成されるカバー部材１Ｇを有する点、カバー部材１Ｇを閉じる方向に付勢する付勢手段を有する点、指先に装着された状態でカバー部材１Ｇの隙間（切欠き部１９）を通して指腹が露出可能になる点、カバー部材の内面に凹部または凸部が形成されている点については第１の実施形態に係るネイルカバー１００と同様の構成であり、これらの構成により、ネイルカバー１００と同等の作用効果を奏することができる。
【００７６】
これに加え、本実施形態に係るネイルカバー１００Ｃは、カバー部材１Ｇが単体で構成され、かつ、カバー部材１Ｅを閉じる方向に付勢する付勢手段はカバー部材１Ｇ自身の弾性によるものであることを特徴としている。これにより、ネイルカバー１００Ｃは、付勢手段がヒンジ２、付勢用チューブ等の弾性部材（付勢部材５）で構成されているものに比べてよりコンパクトかつ軽量な構造を実現することができる。
【００７７】
（他の実施形態）
本発明では、第１の実施形態で説明したように、綿状体Ｃの滑り止めとしてカバー部材１Ａ、１Ｂの内面に凹部または凸部が形成されている形態を含み、上記実施形態では凸部として複数の凸条１３が形成されている。凸部の形態としては凸条１３に限定されず、多数の点状の凸部であってもよい。また、凹部としては、多数の点状の凹部や複数の溝が挙げられる。上記凸条１３は、カバー部材１Ａ、１Ｂの周方向（左右方向）に沿って延びているが、周方向に交差する方向に延びていてもよい。また、複数の溝の場合も、カバー部材１Ａ、１Ｂの周方向または周方向に交差する方向に延びる形態のいずれでもよい。さらに複数の凸条および溝は、周方向と周方向に交差する方向の両方に延びる格子状に形成されていてもよい。このような変形が可能であることは第２から第４の実施形態においても同様である。
【産業上の利用可能性】
【００７８】
本発明は、ネイルカバーとして好適に利用される。
【符号の説明】
【００７９】
１００、１００Ａ、１００Ｂ、１００Ｃ  ネイルカバー
１Ａ、１Ｂ、１Ｃ、１Ｄ、１Ｅ、１Ｆ、１Ｇ  カバー部材
２  ヒンジ（付勢手段）
３  つまみ部
５  付勢部材（付勢手段、ヒンジ、弾性部材）
５ａ  スリット
１１、１２  周方向端部の縁
１３  凸条（凸部）
１９  切欠き部
１９ａ、１９ｂ  端縁
２２  ばね（付勢部材）
【図１】
2019188103.tif 000003
【図２】
2019188103.tif 000004
【図３】
2019188103.tif 000005
【図４】
2019188103.tif 000006
【図５】
2019188103.tif 000007
【図６】
2019188103.tif 000008
【図７】
2019188103.tif 000009
【図８】
2019188103.tif 000010
【図９】
2019188103.tif 000011
【図１０】
2019188103.tif 000012
【図１１】
2019188103.tif 000013
【図１２】
2019188103.tif 000014